(57)【要約】【課題】テーブル等に用いる開閉可能な脚の構造において、テーブル等の外観を損なうことのない開閉構造を提供する。【解決手段】複数の脚４と連結され、それぞれの脚４を回動可能に軸支する軸部材１を備え、軸部材１と脚４とが対峙する部分に、それぞれの脚の回動範囲を規定する回動規定手段を備えた脚の開閉構造を構成する。本考案によれば、脚の回動規制手段により、脚の適当な開状態が保持されるので、容易にテーブルの天板等を載置することができる。また、回動規制手段が外部に露出しない構造にしたため、外観を損なうことが無い。【選択図】図１
0003113479.tif 000002
【実用新案登録請求の範囲】
【請求項１】
複数の脚を回動可能に軸支する軸部材と、
脚の回動範囲を定める回動規制手段と、を備え、
回動規制手段は、軸部材における脚と対向するそれぞれの面に設けられていることを特徴とする脚の開閉構造。
【請求項２】
脚の回動軸の近傍に凸部が形成され、
回動規制手段は、軸部材に形成され、凸部を収容する凹部である請求項１に記載の脚の開閉構造。
【請求項３】
回動規制手段は、脚の回動軸の下方に形成されてなる請求項１又は請求項２に記載の脚の開閉構造。
【請求項４】
軸部材とそれぞれの脚との連結に、弾性を付加する弾性部材を備えた請求項１乃至請求項３に記載の脚の開閉構造。
【請求項５】
弾性部材の一部が脚の回動軸の軸方向に露出するように弾性部材を収容する弾性体収容部を備えた請求項４に記載の脚の開閉構造。
【考案の詳細な説明】
【技術分野】
【０００１】
本考案は、板体や容器などを載置して、テーブル、椅子、装飾インテリアなどに利用でき、脚の軸線が並行に揃うように畳むことができる脚の開閉構造に関するものである。
【背景技術】
【０００２】
実開昭６２−８５２２３には、複数の脚を中間部において回動自在に枢着したテーブル用脚に関して、脚の開脚時に上部に備えた紐体が張架され、適正な開脚斜度を有して固定される技術が開示されている。
【特許文献１】実開昭６２−０８５２２３号公報
【考案の開示】
【考案が解決しようとする課題】
【０００３】
上記従来の技術は、テーブルとして利用している際に誤って張架された紐体を引っ張ると、開脚斜度が変わり、載置された甲板がずれたり、甲板が跳ね上がる等のおそれがある。また、紐体によりデザイン上の自由度も制限される。
【課題を解決するための手段】
【０００４】
本考案は、複数の脚と連結され、それぞれの脚を回動可能に軸支する軸部材と、脚の回動範囲を定める回動規制手段と、を備え、回動規制手段は、軸部材における脚と対向するそれぞれの面に設けられてなる、脚の開閉構造である。
【０００５】
本考案の脚の開閉構造において、脚の回動軸の近傍に凸部が形成され、回動規制手段は、軸部材に形成され、凸部を収容する凹部を構成した。
【０００６】
本考案の脚の開閉構造において、回動規制手段は、脚の回動軸の下方に形成した。
【０００７】
本考案の脚の開閉構造において、軸部材とそれぞれの脚との連結に、弾性を付加する弾性部材を備える。
【０００８】
本考案の脚の開閉構造において、弾性部材の一部が脚の回動軸の軸方向に露出するように弾性部材を収容する弾性体収容部を備える。
【考案の効果】
【０００９】
本考案によれば、脚の回動規制手段により、脚の適当な開状態が保持されるので、容易に板体等を載置することができる。また、回動規制手段が外部に露出しない構造にしたため、外観を損なうことが無い。
【考案を実施するための最良の形態】
【００１０】
脚の回動範囲を規制するという目的を、簡易な構造によって、実施品の外観を損なわずに実現した。
【実施例１】
【００１１】
図１は、本考案に係る開閉構造を有する脚を用いたテーブルの斜視図である。軸部材１を回動軸として回動可能に軸支された３本の脚４を備えており、これらの脚４を開状態として板体２０を載置する構成としている。板体２０は取り外し可能である。３本の脚４は、長さ方向の軸線に沿って並行となるように閉状態とすることができるため、持ち運びや収納に便利である。
【００１２】
図２は、軸部材１の斜視図である。軸部材１は脚４と対向する３つの平坦面を有する柱状体であり、３つの側面にはそれぞれ、脚４を連結するためのボルト孔２が形成され、ボルト孔２の下方には、脚４の回動範囲を規定するための凹部が形成されている。本例では、脚４を３本用いた例を示し、これに合わせて軸部材１も三角柱としているが、脚の本数は適宜変更でき、軸部材の形状もこれに合わせて変更してよい。なお、本例の如く３本の脚４を用いることで、設置する地面の凹凸に影響されず安定して設置することができる。
【００１３】
図３は、脚４の斜視図である。脚４の略中間部分には、脚４を貫通する軸孔５が形成されており、軸孔５には脚４と軸部材１を連結するボルトが挿通される。軸孔５の近傍には凸部６が形成されている。凸部６は円柱状の金属であり、脚４に嵌めこまれている。
【００１４】
図４は、脚４と軸部材１との連結状態を側面からみた断面図である。脚４と軸部材１とはボルト７により連結されている。ボルト７の先端部分はねじ山が形成されたねじ部９が形成されており、ねじ部９からボルト頭部１３までの間は脚４の回動軸となる、ねじ山が形成されていない胴部８を備えている。ボルト７は、弾性部材１１（後述の波状のワッシャ）、ワッシャ１２、及び脚４を介して軸部材１に固定されている。また、脚４に備えた凸部６が、軸部材１に形成された凹部３内に収まるように連結されている。軸部材１には胴部８の一部（ねじ部９が形成された先端側）を挿入するための凹状の挿入部１８が形成されている。脚４と軸部材１との接合部分において、太径の胴部８を配置することで、ボルト７が折れることを抑制するためである。
【００１５】
ワッシャ１２は一般的に用いられている平板状のワッシャである。一方、弾性部材１１は、弾性体として機能する図５に示すような波状のワッシャである。このような波状のワッシャを介在させることにより、ボルト７の締付けに適度な弾性を与え、脚４と軸部材１との好適な摩擦を保つことに寄与するため、脚４の回動が緩かったり、若しくは固すぎたりということを抑制する。弾性体は、波上のワッシャのほか、コイルばね、板ばね、ゴム等を用いてもよい。弾性部材１１と脚４との間には、ワッシャ１２が介在しているため、弾性部材１１（波状のワッシャ）が脚４を傷つけることがなく、特に脚４の素材として木材を用いた場合には有効である。弾性部材１１の取付位置は、図３の如きボルト頭部１３と脚４との間の他、脚４と軸部材１との連結に弾性を付与すればよく、軸部材１と脚４との間に設けてもよい。
【００１６】
ボルト頭部１３には、弾性部材１１を収容するための弾性部材収容部１０が形成されている。弾性部材収容部１０の深さは、弾性部材１１の一部が軸方向に露出する程度の深さである。このような弾性部材収容部１０を形成しない場合には、ボルト頭部１３とワッシャ１２との間に隙間があるように見えるため外観上好ましく、また、弾性部材１１の存在に気付かずに、ボルト頭部１３とワッシャ１２との隙間を埋めようとしてボルト７を増し締めすると脚４の回動が固くなる等の問題がある。弾性部材収容部１０を形成した場合には、ボルト頭部１３とワッシャ１２との隙間が狭く目立たなくなり、また、隙間無く締め付けてしまっても、過度に脚４の回動を固くすることが無いため、上述の問題が解消される。弾性部材１１の配置を、軸部材１と脚４との間にした場合には、軸部材１若しくは脚４の側に弾性体収容部１０を形成してもよい。ナットにより締め付けをする場合には、ナットに弾性体収容部１０を形成してもよい。
【００１７】
図６は、脚４の回動範囲を示す正面図である。脚を閉状態とした場合、脚４はＡに位置し（全ての脚４が略並行に揃った状態）、このとき凸部６はＣの位置で凹部３の右側面に当接しており、これ以上の左回転を妨げている。脚４をＸを軸として右回転させて開状態にすると、凸部６はこれに伴ってＤに移動し凹部３の左上側面に当接し、脚４をＢの位置以上に右回転しないように制限している。すなわち、凹部３は凸部６の移動範囲を規定しており、これによって脚４の回動範囲を定める回動規制手段として機能している。
【００１８】
以上のように、回動規制手段を、軸部材１における脚４と対向するそれぞれの面に形成したため、脚４の回動範囲を規定する構造が外観より視認し難くなり、又は、完全に隠れるため、テーブル等の全体のデザインに支障をきたすことが抑制される。
【００１９】
凹部３及び凸部６は脚４の回動軸Ｘよりも下方に形成されている。凹部３及び凸部６を回動軸Ｘの上方に形成すると、脚を開状態にして重量物を載置した場合に、回動軸Ｘであるボルト７に負荷が集中し、最悪の場合ボルト７が折れるおそれがある。凹部３及び凸部６を回動軸Ｘの下方にすると、ボルト７に過度の負荷がかからず、上記の問題が解消される。
【００２０】
回動規制手段である凹部３を脚４に形成し、凸部６を軸部材１側に形成してもよい。この場合、脚４の凹部３を形成した部分の強度が低下するため、脚４の素材としては金属等を用いることが望ましい。
【００２１】
図７は、それぞれの脚４を閉状態にした場合の平面図である。脚４はそれぞれ略並行に揃った状態である。このような状態からボルト７を軸としてそれぞれの脚４の頂部を矢印方向に移動させるように回動させると、図８に示す開状態となる。図７図８の各図で、凸部６、凹部３、ボルト７は実際には上方より視認できないため点線で示す。
【００２２】
図９は、主として、テーブルとして利用した場合の、脚４の頂部と板体２０との接合部分の側面図である。図９（ａ）の板体２０にはそれぞれの脚４の頂部に対応した窪み１６ａが形成されており、板体２０と脚４との滑りを防止する。それぞれの脚４の回動範囲は前述のとおり凹部３により定められるが、開状態において脚４の頂部が窪み１６ａに対応する位置となるように凹部３を形成する。これによりそれぞれの脚４への板体２０の設置作業が非常に容易となる。このとき、脚４に板体２０等を載置した場合の脚４のしなりを考慮して、開状態とした脚４の頂部が窪み１６ａの若干内側となるようにすることが望ましい。
【００２３】
図９（ｂ）は、脚４の頂部が嵌め込まれる窪み１６ｂの外側の端面に、脚４の頂部を僅かに覆うように張り出した係止部１９が形成された例を示す。板体２０を持ち上げた際に、容易に脚４と板体２０が分離することを防止する。図９（ｃ）（ｄ）は、板体２０と脚４との係止構造の他の例を示すものである。図９（ｃ）は板体２０と脚４との係止部の断面であり、図９（ｄ）は板体２０に形成した孔を正面から見た図である。脚４の頂部にフランジを有する突出部１５を設け、突出部１５を板体２０に形成した係止孔１７ａに挿入し、更に１７ｂの位置にずらすと、板体２０と脚４とが突出部１５のフランジにより係止され、容易に外れることが防止される。また、板体２０に脚４の頂部が嵌め込まれる窪みが形成されているため、万一、突出部１５が折れた場合でも、脚４が広がってしまうことを防止する。以上のような板体２０などの載置物と脚４とを固定する構造を備えることが望ましい。
【産業上の利用可能性】
【００２４】
本考案を、板体２０を載置してテーブルに用いる例を説明したが、椅子や、インテリア用の台など、様々な物の載置用脚として利用できる。
【図面の簡単な説明】
【００２５】
【図１】本考案の脚を用いてテーブルを構成する場合の斜視図。
【図２】本考案の軸部材１の斜視図。
【図３】本考案の脚４の斜視図。
【図４】軸部材１と脚４の連結状態を側面から見た断面図。
【図５】弾性部材の一例である波状のワッシャの斜視図。
【図６】脚４の回動範囲を説明する図。
【図７】脚４を閉じた状態を示す平面図。
【図８】脚４を開いた状態を示す平面図。
【図９】脚４と板体２０との接合状態を示す図。
【符号の説明】
【００２６】
１  軸部材
２  ボルト孔
３  凹部
４  脚
５  軸孔
６  凸部
７  ボルト
８  胴部
９  ねじ部
１０  弾性体収容部
１１  弾性体
１２  ワッシャ
１３  ボルト頭部
【図１】
0003113479.tif 000003
【図２】
0003113479.tif 000004
【図３】
0003113479.tif 000005
【図４】
0003113479.tif 000006
【図５】
0003113479.tif 000007
【図６】
0003113479.tif 000008
【図７】
0003113479.tif 000009
【図８】
0003113479.tif 000010
【図９】
0003113479.tif 000011